(57)【要約】【課題】慣性センサ、無線通信手段の２つの手段を必要とすることなく、制御対象機器の状態を操作する。【解決手段】操作システムは、テレビ１０１と該テレビ１０１を操作するリモコン１０４とから構成される。テレビ１０１は、測距可能データ通信手段、ここではＵＷＢ通信手段１０２を備えている。同様にリモコン１０４も、測距可能データ通信手段としてＵＷＢ通信手段１０５を備えている。【選択図】図１
2007318494.tif 000002
【特許請求の範囲】
【請求項１】
制御対象機器と前記制御対象機器の状態を遠隔操作するリモートコントロール装置とからなる操作システムにおいて、
前記リモートコントロール装置がある基準点との距離を測定し、該距離に応じて前記制御対象機器または前記リモートコントロール装置の状態を変化させることを特徴とする操作システム。
【請求項２】
制御対象機器と前記制御対象機器の状態を遠隔操作するリモートコントロール装置とからなる操作システムにおいて、
前記制御対象機器と前記リモートコントロール装置は、ある基準点との距離を測定し、データ通信することが可能な測距可能データ通信手段をそれぞれ備え、
前記リモートコントロール装置は、前記制御対象機器を操作する操作手段を備え、
前記制御対象機器または前記リモートコントロール装置は、前記操作手段が操作されたとき、前記測距可能データ通信手段で測定した測定距離の変化を計算する変化距離算出手段と、前記変化距離算出手段による変化距離算出結果に基づき、その状態を変化させる状態変化手段とを備え、
ることを特徴とする操作システム。
【請求項３】
前記リモートコントロール装置及び前記制御対象機器は、互いがデータ通信している間、自身が備えている表示手段に通信状態を表示することを特徴とする請求項１または請求項２記載の操作システム。
【請求項４】
制御対象機器と該制御対象機器の状態を遠隔操作するリモートコントロール装置とからなる操作システムの操作方法において、
前記制御対象機器装置または前記リモートコントロールは、前記リモートコントロール装置が有する操作手段が操作されたとき、前記リモートコントロール装置と前記制御対象機器が有する測距可能データ通信手段で測定した測定距離の変化を計算する変化距離算出ステップと、前記変化距離算出ステップによる変化距離算出結果に基づき、その状態を変化させる状態変化ステップとを備えることを特徴とする操作方法。
【請求項５】
制御対象機器と該制御対象機器の状態を遠隔操作するリモートコントロール装置とからなる操作システムの操作プログラムにおいて、
前記制御対象機器装置または前記リモートコントロールは、前記リモートコントロール装置が有する操作手段が操作されたとき、前記リモートコントロール装置と前記制御対象機器が有する測距可能データ通信手段で測定した測定距離の変化を計算する変化距離算出モジュールと、前記変化距離算出モジュールによる変化距離算出結果に基づき、その状態を変化させる状態変化モジュールとをコンピュータに実行させることを特徴とする操作プログラム。
【請求項６】
請求項５記載の操作プログラムを格納するコンピュータ読み取り可能な記憶媒体。
【発明の詳細な説明】
【技術分野】
【０００１】
本発明は、操作システム及び方法、並びにプログラム及び記憶媒体に関する。
【背景技術】
【０００２】
近年、市場に出ている電化製品はほとんどリモートコントロール装置（以下、単にリモコンという）が付属品としてついてくる。リモコンがあると、その場にいながら、対象の電化製品をコントロールでき、便利である。
【０００３】
しかし、最近では、電化製品の多機能化によりリモコンに搭載されているボタン数が増え、操作者がリモコンを使って、対象の電化製品をコントロールする上で、ボタンを押し間違えたり、ボタンの機能を覚えられなかったりなどの問題が発生している。そのため、リモコンを扱うのが困難になりつつある。
【０００４】
代表的な例を挙げるとテレビジョン（以下、単にテレビという）である。少し前までは、テレビのチャンネル数はおおよそ決まっており、電源、チャンネル（１から１２）、入力切り替え、音量調節位で、リモコンに搭載されるボタン数もたかが知れていた。
【０００５】
しかし、近年のテレビは非常に多機能になってきた。まず、昔と大きく変わったのはチャンネル数である。現在、地上波テレビ放送のデジタル化がなされ、ＢＳデジタル放送、ＣＳデジタル放送、地上波データ多重放送等が視聴できるようになり、これからもチャンネル数は多くなることが予想される。
【０００６】
最近のテレビは、番組を視聴する以外の機能もあり、インターネットに接続し、ホームページの閲覧、メールの送受信も可能となった。また、ＥＰＧ受信装置を内蔵したデジタルテレビジョン受像機（以下、単にテレビという）が実用化され、市販されている。
【０００７】
このＥＰＧ受信装置は、ＣＳデジタル放送、地上波データ多重放送、インターネット等によって日々更新されて配信されるＥＰＧ情報（テレビ番組データ）を受信し、画面上にテレビ番組表をＧＵＩ（Ｇｒａｐｈｉｃａｌ  Ｕｓｅｒ  Ｉｎｔｅｒｆａｃｅ）表示する。
【０００８】
これにより、視聴者は、画面上に表示されたテレビ番組表をもとに自分が見たいテレビ番組を検索し、ビデオ等の録画装置に対して録画予約を簡単に行うことができる。このようなＥＰＧ画面操作システムに関する技術は、例えば、特許文献１に開示されている。
【０００９】
この技術は、ＥＰＧ画面操作システムにおいて、ＥＰＧ画面上に表示されるポインタを遠隔操作するリモコンが、ユーザによって動かされたときに、その動きの方向を検出する慣性センサを備え、その動きの方向を表わす方向信号を発生する。テレビは、その方向信号に応じてポインタをＥＰＧ画面上でシフトさせる表示制御部を備える。上記遠隔操作は、リモコンでＲＦ信号による無線通信によって行われる。
【００１０】
このように、ボタンの数を増やさず、制御対象機器が持ついろいろな機能の操作性を上げるには、上述した技術のように直感的にわかりやすい操作性が必要条件になるといえる。
【特許文献１】特開２００１−４５３２３号公報
【発明の開示】
【発明が解決しようとする課題】
【００１１】
上述したように、特許文献１記載の技術では、十字キーをなくし、ポインタを表示することにより、格段に操作性を向上させている。しかし、この技術は、動きの方向を検出する慣性センサとＲＦ信号による無線通信手段の２つが必要となる。
【００１２】
ここで、近年注目されてきた測距可能な通信方式として、ＵＷＢ（Ｕｌｔｒａ  Ｗｉｄｅ  Ｂａｎｄ）方式がある。ＵＷＢ方式は、無線通信の方式の１つで、データを１ＧＨｚ程度の極めて広い周波数帯に拡散して送受信を行うものである。
【００１３】
このＵＷＢ方式は、それぞれの周波数帯に送信されるデータはノイズ程度の強さしかないため、同じ周波数帯を使う無線機器と混信することがなく、消費電力も少ない。また、位置測定、レーダ、無線通信の３つの機能を合わせ持っている。位置測定、レーダについては、無線機と無線機の間の距離を数ｃｍの精度で測定することができる。
【００１４】
テレビは、今後もますます多機能化していくことが予想される。その場合、リモコンも必然的に高性能になり、液晶が搭載され、その液晶上にＥＰＧを表示できたり、テレビとリモコン間でデータ通信がされたりするようになることも予想される。ＵＷＢ技術を使えば、ＥＰＧのデータや様様なデータを高速で通信することが可能になる。
【００１５】
本発明は、このような背景のもとになされたものであり、その目的とするところは、慣性センサ、無線通信手段の２つの手段を必要とすることなく、制御対象機器の状態を操作することにある。
【課題を解決するための手段】
【００１６】
上記目的を達成するために、請求項１記載の操作システムは、制御対象機器と前記制御対象機器の状態を遠隔操作するリモートコントロール装置とからなる操作システムにおいて、前記リモートコントロール装置がある基準点との距離を測定し、該距離に応じて前記制御対象機器または前記リモートコントロール装置の状態を変化させることを特徴とする。
【００１７】
請求項２記載の操作システムは、制御対象機器と前記制御対象機器の状態を遠隔操作するリモートコントロール装置からなる操作システムにおいて、前記制御対象機器と前記リモートコントロール装置は、ある基準点との距離を測定し、データ通信することが可能な測距可能データ通信手段をそれぞれ備え、前記リモートコントロール装置は、前記制御対象機器を操作する操作手段を備え、前記制御対象機器または前記リモートコントロール装置は、前記操作手段が操作されたとき、前記測距可能データ通信手段で測定した測定距離の変化を計算する変化距離算出手段と、前記変化距離算出手段による変化距離算出結果に基づき、その状態を変化させる状態変化手段とを備えることを特徴とする。
【００１８】
請求項４記載の操作方法は、制御対象機器と該制御対象機器の状態を遠隔操作するリモートコントロール装置とからなる操作システムの操作方法において、前記制御対象機器装置または前記リモートコントロールは、前記リモートコントロール装置が有する操作手段が操作されたとき、前記リモートコントロール装置と前記制御対象機器が有する測距可能データ通信手段で測定した測定距離の変化を計算する変化距離算出ステップと、前記変化距離算出ステップによる変化距離算出結果に基づき、その状態を変化させる状態変化ステップとを備えることを特徴とする。
【００１９】
請求項５記載の操作プログラムは、制御対象機器と該制御対象機器の状態を遠隔操作するリモートコントロール装置とからなる操作システムの操作プログラムにおいて、前記制御対象機器装置または前記リモートコントロールは、前記リモートコントロール装置が有する操作手段が操作されたとき、前記リモートコントロール装置と前記制御対象機器が有する測距可能データ通信手段で測定した測定距離の変化を計算する変化距離算出モジュールと、前記変化距離算出モジュールによる変化距離算出結果に基づき、その状態を変化させる状態変化モジュールとをコンピュータに実行させることを特徴とする。
【００２０】
請求項６記載のコンピュータ読み取り可能な記憶媒体は、請求項５記載の操作プログラムを格納する。
【発明の効果】
【００２１】
本発明によれば、リモートコントロール装置がある基準点との距離を測定し、該距離に応じて制御対象機器またはリモートコントロール装置の状態を変化させる。つまり、リモートコントロール装置を移動させるだけで、制御対象機器またはリモートコントロール装置の状態が変化するので、慣性センサ、無線通信手段の２つの手段を必要とすることなく、制御対象機器の状態を操作することができる。
【発明を実施するための最良の形態】
【００２２】
以下、本発明の実施の形態を図面を参照しながら詳細に説明する。
【００２３】
図１は、本発明の実施の形態に係る操作システムの構成を概略的に示す図である。
【００２４】
図１において、操作システムは、テレビ１０１と該テレビ１０１を操作するリモコン１０４とから構成される。
【００２５】
テレビ１０１は、測距可能データ通信手段、ここではＵＷＢ通信手段１０２を備えている。同様にリモコン１０４も、測距可能データ通信手段としてＵＷＢ通信手段１０５を備えている。ここでの測距方式は、パルスを発してどれだけ時間がかかって届いたか測定して距離を算出するＴｏＡ（Ｔｉｍｅ  ｏｆ  Ａｒｒｉｖａｌ）方式を用いることにする。ＴｏＡ方式を用いるには、アンテナに指向性を持たせる必要があるので、ここではアンテナに指向性があるものとして説明する。
【００２６】
また、リモコン１０４は、ＥＰＧ等のテレビから送られてくるデータや、現在テレビ１０１で表示されていない番組を表示する液晶ディプレイ１０６を備えている。また、リモコン１０４は、テレビ１０１の状態を変化させるためのボタンであるチャンネル切り替えボタン１０７、音量調節ボタン１０８を備えている。このそれぞれのボタンはテレビ１０１の状態を操作する以外の機能として、ＵＷＢ通信を開始する機能も兼ね備えている。
【００２７】
また、リモコン１０４は、テレビ１０１との特定の通信（動画像データの送受信等）に使われる通信ボタン１０９、ＳＤカードやコンパクトフラッシュ(登録商標)といったメモリカード１１１を挿入するカードスロット１１０も備えている。
【００２８】
尚、測距可能データ通信手段としてＵＷＢ通信手段１０５を用いたが、測距可能データ通信手段であるならば、ＵＷＢ通信手段１０５でもなくてもよい。
【００２９】
（第１の制御例）
以下、リモコン１０４を移動させることにより、ある基準点（ここではテレビ１０１のパネルとする）との距離を変化させ、その距離に応じてテレビ１０１の状態を変化させる、第１の制御例では、音量を調節する動作を説明する。
【００３０】
図２は、図１の操作システムによって実行される第１の制御例としての音量調節処理の手順を示すフローチャートである。
【００３１】
図２のフローチャートを用いて、操作者がテレビ１０１の音量を調節するために、リモコン１０４の音量調節ボタン１０８を押した場合の動作を説明する。
【００３２】
図２において、まず、リモコン１０４側のフローチャートについて説明する。リモコン１０４において、音量調節ボタン１０８がある基準点に向けて押される（ステップＳ２０１）。すると音量フラグＦ＝１にして（ステップＳ２０２）、テレビ１０１のパネルに向けてパルスを出力する（ステップＳ２０３）。
【００３３】
ここで、リモコン１０４は、ステップＳ２０４において、１定期間テレビ１０１のパネルから反射される反射パルスを待ち、反射パルスを受信できたら（ステップＳ２０４のＹＥＳ）、ステップＳ２０３で出力したパルスと受信した反射パルスの時間差を求めて、距離データＸを算出する（ステップＳ２０５）。
【００３４】
次に、ステップＳ２０５において算出した距離データＸと音量フラグＦをテレビ１０１に送信する（ステップＳ２０６）。そして、音量調節ボタン１０８がまだ押されているか否かをチェックし（ステップＳ２０７）、押されているならステップＳ２０３へ戻り、押されていないなら（ステップＳ２０７のＮＯ）、ステップＳ２０８へ移行する。ステップＳ２０８では、ステップＳ２０２で立てた音量フラグＦ＝０にし、距離データＸ＝０にして、この処理が終了となる。
【００３５】
一方、ステップＳ２０４にて１定時間内で反射パルスを受信できなかった（テレビ１０１からパルスが反射しなかった）場合（ステップＳ２０４のＮＯ）、エラーメッセージをリモコン１０４の液晶ディスプレイ１０６に表示して（ステップＳ２０９）、ステップＳ２０７へ移行する。
【００３６】
続いて、テレビ１０１側のフローチャートについて説明する。リモコン１０４側のフローチャートのステップＳ２０６で送信された距離データＸと音量フラグＦをテレビ１０１が受信する（ステップＳ２１０）。
【００３７】
その後、まず、減算距離データＡ、被減算距離データＢ、移動量Ｃ、音量調節データＤの初期化を行う（ステップＳ２１１）。次に、テレビ１０１の画面に音量のＯＳＤ（図１の符号１０３）を表示する（ステップＳ２１２）。
【００３８】
次に、受信した距離データＸが最初に受信した距離データＸか否かを判断する（ステップＳ２１３）。最初の距離データＸであるなら（ステップＳ２１３のＹＥＳ）、ステップＳ２１４へ移行し、最初の距離データＸでないなら（（ステップＳ２１３のＮＯ））、ステップＳ２１５へ移行する。
【００３９】
ステップＳ２１４で、減算距離データＡに受信した距離データＸを代入する。一方、ステップＳ２１５では、被減算距離データＢに距離データＸを代入する。そして、距離データＸと音量フラグがまだ受信中であるか否か判断する（ステップＳ２１６）。受信中であるならステップＳ２１３へ戻り、受信中でないなら（ステップＳ２１６のＮＯ）、ステップＳ２１７へ移行する。
【００４０】
ステップＳ２１７では、ステップＳ２１４とステップＳ２１５で求めた値の差分から移動量Ｃを求める（変化距離算出手段）。そして、求めた移動量Ｃを音量調節データＤにデコードする（ステップＳ２１８）。次に、音量調節データＤの結果により、テレビ１０１側の音量を変化させ、音量のＯＳＤ１０３の表示も変化させる（ステップＳ２１９）（状態変化手段）。最後に、音量フラグＦ＝０にし、音量のＯＳＤ１０３を非表示にして（ステップＳ２２０）、終了となる。
【００４１】
以上のように、第１の制御例の操作システムは、テレビ１０１側とリモコン１０４側に測距可能データ通信手段１０２、１０５を持たせる。これにより、リモコン１０４からある基準点までの距離を測定し、距離の移動量を計算し、その移動量に応じて、制御対象機器であるテレビ１０１の状態（音量）を変化させることが可能になる。
【００４２】
（第２の制御例）
以下、リモコン１０４を移動させることにより、ある基準点（ここではテレビ１０１のパネルとする）との距離を変化させ、その距離に応じてテレビ１０１の状態を変化させる、第２の制御例では、動画像データを転送する動作を説明する。
【００４３】
テレビ１０１は、ハードディスクを内蔵しており、このハードディスクにデジタルカメラやデジタルビデオカメラで撮影された動画像データが保存されている。
【００４４】
テレビ１０１に内蔵されたハードディスクに保存された動画像データと、リモコン１０４のカードスロット１１０に挿入されたメモリカード１１１に保存された動画像データとは、互いにＵＷＢ通信手段１０２、１０５を用いて通信できるようになっている。
【００４５】
ある基準点（テレビ１０１のパネル）からリモコン１０４を遠ざけると、テレビ１０１のハードディスクからリモコン１０４に挿入されているメモリカード１１１に、テレビ１０１の画面で選択されたハードディスクに保存されている動画像データが転送される。
【００４６】
逆に、テレビ１０１にリモコン１０４を近づけると、リモコン１０４に挿入されているメモリカード１１１からテレビのハードディスクに、メモリカード１１１に保存されている動画像データを転送することができるようになっている。
【００４７】
また、第２の制御例では、後述する図５のフローチャートにおける変化距離算出手段をリモコン１０４側に備える。
【００４８】
図３は、図１におけるテレビの表示例を示す図である。
【００４９】
図３において、画面３０１には、テレビ１０１に内蔵されているハードディスク内の動画像データがサムネイル３０２として表示されていて、ある特定の動画像データ３０３が選択されている。一方、リモコン１０４には、カードスロット１１０にメモリカード１１１が挿入されている。
【００５０】
この状態において、この動画像データ３０３をリモコン１０４に挿入されているメモリカード１１１に保存する場合の動作を以下に説明する。
【００５１】
図５は、図１の操作システムによって実行される第２の制御例としての動画像データ転送処理の手順を示すフローチャートである。
【００５２】
図５において、まず、リモコン１０４側のフローチャートから説明する。前述したように、テレビ１０１に動画像データ３０３を選択し、通信ボタン１０９が押されると（ステップＳ５０１）、転送フラグＦ＝１にする（ステップＳ５０２）。次に、距離データＸ、減算距離データＡ、被減算距離データＢ、移動量Ｃの初期化を行う（ステップＳ５０３）。
【００５３】
次に、基準点であるテレビ１０１のパネルに向けてパルスを出力する（ステップＳ５０４）。ここでリモコン１０４は、１定期間テレビ１０１のパネルから反射される反射パルスを待ち（ステップＳ５０５）、反射パルスを受信できたら（ステップＳ５０５のＹＥＳ）、ステップＳ５０６へ移行する。受信できなかった場合は（ステップＳ５０５のＮＯ）、ステップＳ５１０へ移行する。
【００５４】
ステップＳ５０６において、ステップＳ５０４で出力したパルスと受信した反射パルスの時間差を求めて、距離データＸを算出する。そして、算出した距離データＸが最初のデータであるか否か判断する（ステップＳ５０７）。算出した距離データＸが最初のデータであるならば（ステップＳ５０７のＹＥＳ）、ステップＳ５０８へ、最初のデータでないならば（ステップＳ５０７のＮＯ）、ステップＳ５０９へ移行する。
【００５５】
ステップＳ５０８で、減算距離データＡに算出した距離データＸを代入する。一方、ステップＳ５０９では、被減算距離データＢに距離データＸを代入する。次に、通信ボタン１０９がまだ押されているか否か判断し（ステップＳ５１０）、押されているなら（ステップＳ５１０のＹＥＳ）、ステップＳ５０４へ戻り、押されていないなら（ステップＳ５１０のＮＯ）、ステップＳ５１１へ移行する。
【００５６】
ステップＳ５１１では、ステップＳ５０８とステップＳ５０９で求めた値の差分から移動量Ｃを求める（変化距離算出手段）。ステップＳ５１２では、求めた移動量Ｃが正の値かどうか判断する。正の値であるならば（テレビ１０１とリモコン１０４の距離が遠ざかった時）、選択した動画像データ３０３の転送要求である転送フラグＦをテレビ１０１に送信する（ステップＳ５１３）。
【００５７】
すると、テレビ１０１から選択した動画像データの受信を開始する（ステップＳ５１４）（状態変化手段）。この時、図４に示すように、リモコン１０１の液晶ディスプレイ１０６の画面４０１には、通信中に動画像データのサムネイルや、通信相手や通信状況を表示する。
【００５８】
次のステップＳ５１５において、テレビ側から画像転送正常終了の通知（Ａｃｋｎｏｗｌｅｄｇｅ信号）を受信したら、ステップＳ５１６へ移行し、転送フラグＦ＝０にして（ステップＳ５１６）、この処理は終了となる。
【００５９】
一方、ステップＳ５１２、ステップＳ５１５のＮＯの場合は、リモコン１０４の液晶ディスプレイ１０６にエラーメッセージを表示して（ステップＳ５１７）、この処理は終了となる。
【００６０】
続いて、テレビ１０１側のフローチャートについて説明する。まず、テレビ１０１側は、リモコン１０４側から送信された転送要求である転送フラグＦを受信したら処理を開始する（ステップＳ５１８）。
【００６１】
選択されている動画像データ３０３をリモコン１０４側へ転送開始する（ステップＳ５１９）。この時、図３に示すように、テレビ１０１の画面３０１には、サムネイル３０２と選択されている動画像データ３０３の他に、通信相手や通信状況を表示する（画面３０４）。
【００６２】
次に、画像転送が正常に終了したか否かを判断する（ステップＳ５２０）。正常終了したのであれば（ステップＳ５２０のＹＥＳ）、ステップＳ５２１へ、異常終了したのであれば（ステップＳ５２０のＮＯ）、ステップＳ５２３へ移行する。ステップＳ５２１では、ＡＣＫ信号をリモコン１０４に送信する。次に、転送完了メッセージをテレビ１０１の画面（パネル）に表示する（ステップＳ５２２）。
【００６３】
一方、ステップＳ５２３では、ＮＡＣＫ（Ｎｅｇａｔｉｖｅ  Ａｃｋｎｏｗｌｅｄｇｅ）信号をリモコン１０４に送信する。次にエラーメッセージをテレビ１０１の画面に表示する（ステップＳ５２４）。最後に転送フラグＦ＝０にして（ステップＳ５２５）、この処理は終了となる。
【００６４】
液晶ディスプレイ１０６やテレビ１０１のパネル（画面３０１）に表示した転送画像や、通信状態、通信状況を表す表示はあくまでも例であり、レイアウト等はこの通りでなくてもよい。
【００６５】
以上のように、第２の制御例の操作システムは、テレビ１０１側とリモコン１０４側に測距可能データ通信手段１０２、１０５を持たせる。これにより、リモコン１０４からある基準点までの距離を測定し、距離が該基準点に近づいたか遠のいたかを２値で判断し、その結果に応じて、制御対象機器であるテレビ１０１とリモコン１０４の状態（動画像データ転送の方向）を変化させることが可能になる。
【００６６】
第１の制御例では、変化距離算出手段をテレビ側に設け、第２の制御例では、リモコン側に設けたが、それぞれ逆の装置側に設けるように構成してもよい。また、第１及び第２制御例いずれにおいても、測距可能データ通信手段における距離測定機能は、リモコン側に設けているが、テレビ側に設けるよう構成してもよい。
【００６７】
また、上記制御例では、リモコン機能のみをもつ装置に本発明を適用しているが、携帯電話装置等、テレビに対するリモコンとして機能できる装置であれば、いずれの装置でもよい。同様に、リモコン制御を受ける装置についても、テレビに限らず、ハードディスクレコーダ等、他の装置でもよい。
【００６８】
また、本発明の目的は、実施の形態の機能を実現するソフトウェアのプログラムコードを記録した記憶媒体を、システムまたは装置に供給し、そのシステムまたは装置のコンピュータ（またはＣＰＵやＭＰＵ等）が記憶媒体に格納されたプログラムコードを読み出して実行することによっても達成される。
【００６９】
この場合、記憶媒体から読み出されたプログラムコード自体が前述した実施の形態の機能を実現することになり、そのプログラムコード及び該プログラムコードを記憶した記憶媒体は本発明を構成することになる。
【００７０】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。または、プログラムコードをネットワークを介してダウンロードしてもよい。
【００７１】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の１部または全部を行い、その処理によって前述した実施の形態の機能が実現される場合も含まれる。
【００７２】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の１部または全部を行い、その処理によって前述した実施の形態の機能が実現される場合も含まれる。
【図面の簡単な説明】
【００７３】
【図１】本発明の実施の形態に係る操作システムの構成を概略的に示す図である。
【図２】図１の操作システムによって実行される第１の制御例としての音量調節処理の手順を示すフローチャートである。
【図３】図１におけるテレビの表示例を示す図である。
【図４】図１における液晶ディスプレイの表示例を示す図である。
【図５】図１の操作システムによって実行される第２の制御例としての動画像データ転送処理の手順を示すフローチャートである。
【符号の説明】
【００７４】
１０１  テレビ（制御対象機器）
１０２  ＵＷＢ通信手段（測距可能データ通信手段）
１０４  リモートコントロール装置
１０５  ＵＷＢ通信手段（測距可能データ通信手段）
１０７  チャンネル切り替えボタン（操作手段）
１０８  音量調節ボタン（操作手段）
１０９  通信ボタン（操作手段）
【図１】
2007318494.tif 000003
【図２】
2007318494.tif 000004
【図３】
2007318494.tif 000005
【図４】
2007318494.tif 000006
【図５】
2007318494.tif 000007